(57)【要約】【課題】アンテナの指向性を容易かつ確実に妨害成分の影響を受けにくい指向性に変更することができる放送受信システムを提供すること。【解決手段】放送受信システム１は、直交検波部２２０から第２信号処理部２８０に入力されるＱ信号の信号レベルが小さくなるように、アンテナ部１０へ出力する駆動信号の信号レベルを上昇または低下させることでアンテナ部１０の指向性を変更する。そのため、利用者が指向性を変更する作業を行う必要がないため、アンテナ部１０の指向性を容易かつ確実に妨害成分の影響を受けにくい指向性に変更することができる。さらに、第１信号処理部２４０が、テレビ放送信号（Ｉ信号）に含まれるオフセットビート成分をテレビ放送信号から除去するため、チューナー部２１０により選局されたテレビ放送信号にオフセットビート成分が含まれていたとしても、このような妨害成分を除去することができる。【選択図】図１
2004173008.tif 000002
【特許請求の範囲】
【請求項１】
外部からの指令を受けて、放送信号を受信する際の指向性を変更可能なアンテナ部と、
該アンテナ部により受信された放送信号のうち特定の放送信号を選局するチューナー部と、
該チューナー部により選局された放送信号から、該放送信号に含まれる妨害成分の信号レベルを検出する妨害成分検出部と、
該妨害成分検出部により検出される妨害成分の信号レベルが小さくなるように、前記アンテナ部の指向性を変更させる変更指令部と、
前記チューナー部により選局された放送信号から、該放送信号に含まれる妨害成分に相当する信号成分を除去する妨害成分除去部と、を備えている
ことを特徴とする放送受信システム。
【請求項２】
前記アンテナ部は、外部からの指令を受けて、放送信号を受信する際の指向性を複数種類の指向性のうちのいずれかに変更可能であって、
前記変更指令部は、前記妨害成分検出部により検出された妨害成分の信号レベルが所定のしきい値以下となるまで、前記アンテナ部の指向性を複数種類の指向性それぞれに順次変更させる
ことを特徴とする請求項１に記載の放送受信システム。
【請求項３】
前記アンテナ部は、外部からの指令を受けて、放送信号を受信する際の指向性を複数種類の指向性のうちのいずれかに変更可能であって、
前記変更指令部は、前記妨害成分検出部により検出される妨害成分の信号レベルについて、該信号レベルの前記アンテナ部による指向性の変更に伴う変化量が、所定のしきい値以下となるまで、前記アンテナ部の指向性を前記複数種類の指向性それぞれに順次変更させる
ことを特徴とする請求項１または請求項２に記載の放送受信システム。
【請求項４】
前記アンテナ部は、外部から指令として入力される指令信号の信号レベルに応じて、放送信号を受信する際の指向性を変更可能であって、
前記変更指令部は、前記アンテナ部へ前記指令信号を出力することによって、該指令信号の信号レベルに応じた指向性へ前記アンテナ部の指向性を変更させる
ことを特徴とする請求項１から請求項３のいずれかに記載の放送受信システム。
【請求項５】
前記変更指令部は、前記妨害成分検出部により検出される妨害成分の信号レベルが低下するように、前記アンテナ部へ出力する前記指令信号の信号レベルを上昇または低下させる
ことを特徴とする請求項４に記載の放送受信システム。
【請求項６】
前記変更指令部は、前記アンテナ部へ出力した前記指令信号の信号レベルを一定レベルだけ上昇または低下させ、該上昇または低下の前後で、前記妨害成分検出部により検出される妨害成分の信号レベルが上昇したら、前記指令信号の信号レベルを一定レベルだけ低下または上昇させる一方、信号レベルが低下したら、前記指令信号の信号レベルをさらに一定レベルだけ上昇または低下させる
ことを特徴とする請求項５に記載の放送受信システム。
【請求項７】
前記アンテナ部は、複数のアンテナ素子と、該アンテナ素子それぞれにより受信される放送信号を混合する混合器と、外部から指令として入力される指令信号の信号レベルに応じて、前記混合器により混合される放送信号それぞれの位相関係を制御することによって当該アンテナ部の指向性を変更する位相制御器と、を備えている
ことを特徴とする請求項１から請求項６のいずれかに記載の放送受信システム。
【請求項８】
前記変更指令部は、利用者の操作を受けて、前記アンテナ部へ指向性の変更を指令するように構成されている
ことを特徴とする請求項１から請求項７のいずれかに記載の放送受信システム。
【請求項９】
前記妨害成分除去部は、
前記チューナー部により選局された放送信号であって、希望波映像信号および妨害波映像信号それぞれが所定の周波数オフセットされた第１，第２搬送波に重畳されてなる放送信号を、直交検波することによって、該放送信号における前記第１搬送波の同相成分であるＩ信号および直交成分であるＱ信号を生成する直交検波手段と、
該直交検波手段により生成された前記Ｑ信号から、前記チューナー部により受信された放送信号における妨害映像信号に相当する信号成分を生成する妨害成分生成手段と、
該妨害成分生成手段により生成された信号成分を、前記直交検波手段により生成された前記Ｉ信号から減算する減算手段と、を備え、
前記妨害成分検出部は、
前記妨害成分除去部の前記直交検波手段により生成された前記Ｑ信号の信号レベルを、前記妨害成分の信号レベルとして検出するように構成されている
ことを特徴とする請求項１から請求項８のいずれかに記載の放送受信システム。
【請求項１０】
前記妨害成分除去部は、
タップ利得を設定可能であって、該設定されたタップ利得に基づき前記チューナー部により受信された放送信号から、該放送信号に含まれるゴースト成分を除去するトランスバーサルフィルタで構成されるゴースト除去手段と、
該ゴースト除去手段の入力信号または出力信号から該信号に含まれるゴースト検出用の基準信号を抽出し、該抽出した基準信号に基づいて前記ゴースト除去手段に対して設定すべきタップ利得を決定すると共に、該決定したタップ利得を前記ゴースト除去手段のタップ利得として設定する利得設定手段と、を備え、
前記妨害成分検出部は、
前記チューナー部により受信された放送信号に含まれるゴースト成分の信号レベルを、放送信号における妨害信号の信号レベルとして検出する
ことを特徴とする請求項１から請求項８のいずれかに記載の放送受信システム。
【請求項１１】
外部からの指令を受けて、放送信号を受信する際の指向性を変更可能なアンテナ部により受信された放送信号のうち特定の放送信号を選局するチューナー部と、
該チューナー部により選局された放送信号から、該放送信号に含まれる妨害成分の信号レベルを検出する妨害成分検出部と、
前記妨害成分検出部により検出される妨害成分の信号レベルが小さくなるように、前記アンテナ部の指向性を変更させる変更指令部と、
前記チューナー部により選局された放送信号から、該放送信号に含まれる妨害成分に相当する信号成分を除去する妨害成分除去部と、を備えている
ことを特徴とする妨害成分除去装置。
【請求項１２】
外部からの指令を受けて、放送信号を受信する際の指向性を変更可能なアンテナ部と、
該アンテナ部により受信された放送信号のうち特定の放送信号を選局するチューナー部と、
該チューナー部により選局された放送信号から、該放送信号に含まれる妨害成分の信号レベルを検出する妨害成分検出部と、
該妨害成分検出部により検出された妨害成分の信号レベルを報知する妨害成分報知部と、
利用者の操作を受けて、前記アンテナ部の指向性を変更させる変更操作部と、
前記チューナー部により選局された放送信号から、該放送信号に含まれる妨害成分に相当する信号成分を除去する妨害成分除去部と、を備えている
ことを特徴とする放送受信システム。
【請求項１３】
前記アンテナ部は、放送信号を受信する際の指向性を複数種類の指向性のうちのいずれかに変更可能であって、外部から指令として入力される指令信号の信号レベルに応じて、放送信号を受信する際の指向性を変更するように構成されており、
前記変更操作部は、前記アンテナ部へ前記指令信号を出力することによって、該指令信号の信号レベルに応じた指向性へ前記アンテナ部の指向性を変更させる
ことを特徴とする請求項１２に記載の放送受信システム。
【請求項１４】
前記アンテナ部は、複数のアンテナ素子と、該アンテナ素子それぞれにより受信される放送信号を混合する混合器と、外部から指令として入力される指令信号の信号レベルに応じて、前記混合器により混合される放送信号それぞれの位相関係を制御することによって当該アンテナ部の指向性を変更する位相制御器と、を備えている
ことを特徴とする請求項１２または請求項１３に記載の放送受信システム。
【請求項１５】
前記妨害成分除去部は、
前記チューナー部により選局された放送信号であって、希望波映像信号および妨害波映像信号それぞれが所定の周波数オフセットされた第１，第２搬送波に重畳されてなる放送信号を、直交検波することによって、該放送信号における前記第１搬送波の同相成分であるＩ信号および直交成分であるＱ信号を生成する直交検波手段と、
該直交検波手段により生成された前記Ｑ信号から、前記チューナー部により受信された放送信号における妨害映像信号に相当する信号成分を生成する妨害成分生成手段と、
該妨害成分生成手段により生成された信号成分を、前記直交検波手段により生成された前記Ｉ信号から減算する減算手段と、を備え、
前記妨害成分検出部は、
前記妨害成分除去部の前記直交検波手段により生成された前記Ｑ信号の信号レベルを、前記妨害成分の信号レベルとして検出するように構成されている
ことを特徴とする請求項１２から請求項１４のいずれかに記載の放送受信システム。
【請求項１６】
前記妨害成分除去部は、
タップ利得を設定可能であって、該設定されたタップ利得に基づき前記チューナー部により受信された放送信号から、該放送信号に含まれるゴースト成分を除去するトランスバーサルフィルタで構成されるゴースト除去手段と、
該ゴースト除去手段の入力信号または出力信号から該信号に含まれるゴースト検出用の基準信号を抽出し、該抽出した基準信号に基づいて前記ゴースト除去手段に対して設定すべきタップ利得を決定すると共に、該決定したタップ利得を前記ゴースト除去手段のタップ利得として設定する利得設定手段と、を備え、
前記妨害成分検出部は、
前記チューナー部により受信された放送信号に含まれるゴースト成分の信号レベルを、放送信号における妨害信号の信号レベルとして検出する
ことを特徴とする請求項１２から請求項１４のいずれかに記載の放送受信システム。
【請求項１７】
外部からの指令を受けて、放送信号を受信する際の指向性を変更可能なアンテナ部により受信された放送信号のうち特定の放送信号を選局するチューナー部と、
該チューナー部により選局された放送信号から、該放送信号に含まれる妨害成分の信号レベルを検出する妨害成分検出部と、
前記チューナー部により選局された放送信号から、該放送信号に含まれる妨害成分に相当する信号成分を除去する妨害成分除去部と、を備えている
ことを特徴とする妨害成分除去装置。
【請求項１８】
外部から入力された信号成分の信号レベルを報知する妨害成分報知部と、
利用者の操作を受けて、放送信号を受信する際の指向性を変更可能なアンテナ部の指向性を変更させる変更操作部と、を備えているアンテナ制御装置。
【発明の詳細な説明】
【０００１】
【発明の属する技術分野】
本発明は、放送信号を受信するための放送受信システムに関する。
【０００２】
【従来の技術】
従来から、テレビ放送信号に含まれるオフセットビート成分やゴースト成分などの妨害成分をテレビ放送信号から除去して、テレビ放送信号に基づく映像の画質を向上させるための様々な技術が提案されている。
【０００３】
例えば、テレビ放送信号（入力テレビジョン信号）を直交検波して生成した直交成分のＱ（Ｑｕａｄｒａｔｕｒｅ  ｐｈａｓｅ）信号（妨害波）から、オフセット周波数（１０．０１ｋＨｚおよび２０．０２ｋＨｚ）の信号成分を抽出し、この信号成分（周波数混合出力信号）をテレビ放送信号から減算することによって、テレビ放送信号からオフセット周波数の信号成分、つまり、オフセットビート成分（信号）を除去する、といった技術が提案されている（特許文献１）。
【０００４】
また、テレビ放送信号（映像信号）から、あらかじめ設定された期間（高速ゴースト除去期間）に得られたＧＣＲ（Ｇｈｏｓｔ  Ｃａｎｃｅｌ  Ｒｅｆｅｒｅｎｃｅ）波形を記憶しておき、以降のトランスバーサルフィルタにおけるタップ係数の修正において、記憶されたＧＣＲ波形をトランスバーサルフィルタにループさせることによって、テレビ放送から従来よりも短時間でゴースト成分（信号成分）を除去する、といった技術も提案されている（特許文献２）。
【０００５】
【特許文献１】
特開平０９−０５５６７１号公報
【特許文献２】
特開平０７−０９５４４８号公報
【０００６】
【発明が解決しようとする課題】
しかし、上述した技術を利用しただけでは、アンテナの指向性が妨害成分の影響を受けやすい方向（例えば、妨害成分の到来する方向など）に向いた状態になってしまうと、妨害成分を充分に除去できず、これにより、テレビ放送信号に基づく映像の画質を充分に向上させることができない場合があった。
【０００７】
このような場合には、アンテナの指向性を妨害成分の影響を受けにくい指向性に変更すればよいが、そのためには、利用者が、テレビ放送信号に基づく映像を確認しながらアンテナ自体の向きを変更したり、指向性を調整可能な調整部（例えば、スイッチなど）を備えたアンテナであれば、同様に映像を目視で確認しながら調整部を操作する、といった作業を行う必要があった。
【０００８】
特に、利用者は、テレビ放送信号から妨害成分が充分に除去されたかどうかを、テレビ放送信号に基づく映像により目視で確認することになるが、目視では妨害成分が充分に除去されたかどうかを確認することが難しく、アンテナの指向性を妨害成分の影響を受けにくい指向性に変更し終わるまでに長時間を要したり、結果的にアンテナの指向性を妨害成分の影響を受けにくい指向性に変更することができないこともあった。
【０００９】
本発明は、アンテナの指向性を容易かつ確実に妨害成分の影響を受けにくい指向性に変更することができる放送受信システム、および、このシステムにおいて利用可能な妨害成分除去装置を提供することを目的とする。
【００１０】
【課題を解決するための手段および発明の効果】
上記課題を解決するため請求項１に記載の放送受信システムは、アンテナ部、チューナー部、妨害成分検出部、変更指令部および妨害成分除去部を備え、これらのうち、アンテナ部は、外部からの指令を受けて、放送信号を受信する際の指向性を変更可能に構成されている。この放送受信システムは、まず、チューナー部が、アンテナ部により受信された放送信号のうち特定の放送信号を選局する。続いて、妨害成分検出部が、チューナー部により選局された放送信号から、この放送信号に含まれる妨害成分の信号レベルを検出する。そして、変更指令部が、妨害成分検出部により検出される妨害成分の信号レベルが小さくなるようにアンテナ部の指向性を変更させると共に、妨害成分除去部が、チューナー部により選局された放送信号から、この放送信号に含まれる妨害成分に相当する信号成分を除去する。
【００１１】
このように構成された放送受信システムによれば、変更指令部によって、妨害成分検出部により検出される妨害成分の信号レベルが小さくなるようにアンテナ部の指向性を変更させることができる。そのため、利用者がアンテナ部自体の向きを変更したり、指向性を調整するための調整部を操作するといった作業を行う必要がなく、また、妨害成分が充分に除去されたかどうかを目視で確認する必要もない。よって、アンテナ部の指向性を容易かつ確実に妨害成分の影響を受けにくい指向性に変更することができる。
【００１２】
さらに、妨害成分除去部によって、放送信号に含まれる妨害成分に相当する信号成分を放送信号から除去することができる。そのため、アンテナ部の指向性が妨害成分の影響を受けにくい指向性に変更された状態において、チューナー部により選局された放送信号に妨害成分が含まれて（残って）いたとしても、このような妨害成分を除去することができる。
【００１３】
なお、上述の変更指令部は、アンテナ部に対して指向性の変更を指令するものであって、妨害成分検出部により検出される妨害成分の信号レベルが小さくなるように指向性の変更を指令する。この変更指令部は、例えば、請求項２に記載のように、アンテナ部が放送信号を受信する際の指向性を複数種類の指向性のうちのいずれかに変更可能であれば、妨害成分検出部により検出された妨害成分の信号レベルが所定のしきい値以下となるまで、アンテナ部の指向性を複数種類の指向性それぞれに順次変更させるように構成するとよい。
【００１４】
このように構成された放送受信システムによれば、変更指令部によって、放送信号に含まれる妨害成分の信号レベルがしきい値以下まで小さくなるように、アンテナ部の指向性を変更させることができる。
また、この構成の放送受信システムを、各種データを記録する記録部と、変更指令部の指令によりアンテナ部の指向性が変更された際に変更後における指向性の種類および妨害成分の信号レベルを対応づけた状態で記録部へ記録させる記録指令部と、を備え、変更指令部は、アンテナ部の指向性を複数種類の指向性全てに順次変更させたにも拘わらず、妨害成分検出部により検出された妨害成分の信号レベルが所定のしきい値以下とならなかった場合に、記録部に記録されている指向性のうち、指向性に対応する信号レベルが最も低い種類の指向性にアンテナ部の指向性を変更させる、ように構成してもよい。このように構成すれば、妨害成分の信号レベルを所定のしきい値以下とすることができない場合であっても、少なくとも妨害信号の信号レベルが最も低くなるようにアンテナ部の指向性を変更させることができる。
【００１５】
また、変更指令部は、アンテナ部が放送信号を受信する際の指向性を複数種類の指向性のうちのいずれかに変更可能であれば、請求項３に記載のように、妨害成分検出部により検出される妨害成分の信号レベルについて、この信号レベルのアンテナ部による指向性の変更に伴う変化量が、所定のしきい値以下となるまで、アンテナ部の指向性を複数種類の指向性それぞれに順次変更させるように構成してもよい。
【００１６】
このように構成された放送受信システムによれば、変更指令部によって、アンテナ部による指向性の変更に伴って妨害成分の信号レベルが変化する変化量（アンテナ部の指向性が変更された前後で妨害信号の信号レベルが変化した変化量）がしきい値以下となるまで、アンテナ部の指向性を変更させることができる。
【００１７】
また、変更指令部は、請求項４に記載のように、アンテナ部が外部から指令として入力される指令信号の信号レベルに応じて放送信号を受信する際の指向性を変更可能であれば、アンテナ部へ指令信号を出力することによって、この指令信号の信号レベルに応じた指向性へアンテナ部の指向性を変更させる、ように構成すればよい。
【００１８】
このように構成された放送受信システムによれば、変更指令部からアンテナ部へ出力（入力）する指令信号の信号レベルに応じて、アンテナ部の指向性を変更することができる。
また、この構成の放送受信システムにおいて、変更指令部は、請求項５に記載のように、妨害成分検出部により検出される妨害成分の信号レベルが低下するように、アンテナ部へ出力する前記指令信号の信号レベルを上昇または低下させる、ように構成するとよい。
【００１９】
このように構成された放送受信システムによれば、変更指令部によりアンテナ部へ出力する指令信号の信号レベルを上昇または低下させることによって、妨害成分検出部により検出される妨害成分の信号レベルを低下させることができる。
この構成において、指令信号の信号レベルを上昇または低下させる際、変更指令部は、例えば、請求項６に示すように、まず、アンテナ部へ出力した指令信号の信号レベルを一定レベルだけ上昇または低下させ、この上昇または低下の前後で、妨害成分検出部により検出される妨害成分の信号レベルが上昇したら、指令信号の信号レベルを一定レベルだけ低下または上昇させる一方、信号レベルが低下したら、指令信号の信号レベルをさらに一定レベルだけ上昇または低下させる、ように構成するとよい。
【００２０】
このように構成された放送受信システムによれば、指令信号の信号レベルを一定レベル間隔で変化させながら、妨害成分検出部により検出される妨害成分の信号レベルを低下させることができる。
なお、この構成において指令信号の信号レベルを変化（上昇または低下）させる際の「一定レベル」は、全て同一のレベルとすればよい。また、妨害成分検出部により検出される妨害成分の信号レベルが上昇したときの「一定レベル」を、他の「一定レベル」（初めに変化させる「一定レベル」および妨害成分の信号レベルが低下したときに変化させる「一定レベル」）より小さくしてもよい。この場合、妨害成分の信号レベルが低下している間は、指令信号の信号レベルと共にアンテナ部の指向性を大きく変化させていき、この大きな変化で妨害成分の信号レベルが低下しなくなった以降は、さらに妨害信号の信号レベルが低下するように、指令信号の信号レベルと共にアンテナ部の指向性を小さく変化させていくことができる。よって、妨害成分の信号レベルがより低くなるように指令信号の信号レベル、つまり、アンテナ部１０の指向性を変更することができる。
【００２１】
なお、上述したアンテナ部の具体的な構成としては、例えば、請求項７に記載のように、複数のアンテナ素子と、アンテナ素子それぞれにより受信される放送信号を混合する混合器と、外部から指令として入力される指令信号の信号レベルに応じて、混合器により混合される放送信号それぞれの位相関係を制御することによってアンテナ部自身の指向性を変更する位相制御器と、を備えた構成を採用することができる。
【００２２】
このように構成された放送受信システムによれば、アンテナ部の位相制御器が、外部から入力した指令信号の信号レベルに応じた位相関係となるように、混合器により混合される放送信号それぞれの位相関係を制御することによって、アンテナ部自身の指向性を変更することができる。
【００２３】
また、上述したアンテナ部の別の構成としては、複数のアンテナ素子と、アンテナ素子それぞれにより受信される放送信号を混合する混合器と、混合器により混合される放送信号それぞれの位相関係を制御することによってアンテナ部自身の指向性を変更する位相制御器と、外部からの指令を受けた際に、該指令に基づいて位相制御器を駆動して位相関係を制御させる駆動部と、を備えた構成を採用することもできる。
【００２４】
また、上述したアンテナ部の別の構成としては、複数のアンテナ素子と、アンテナ素子それぞれにより受信される放送信号を混合する混合器と、外部からの指令を受けて、混合器により混合される放送信号のうち一部または全部の放送信号に対して重み付けをおこなうことによってアンテナ部自身の指向性を変更する重み付け部と、を備えた構成を採用することもできる。このように構成すれば、アンテナ部の重み付け部が、外部から受けた指令に応じた重み付けを行うことによって、アンテナ部自身の指向性を変更することができる。
【００２５】
なお、上述の変更指令部が、アンテナ部へ指向性の変更を指令するタイミングは特に限定されないが、例えば、本放送受信システムを起動（電源ＯＮ）したタイミングとすればよい。
また、請求項８に記載のように、利用者の操作を受けたタイミングで、アンテナ部へ指向性の変更を指令するように構成してもよい。
【００２６】
このように構成された放送受信システムによれば、利用者が何らかの操作を行ったときのみ、アンテナ部へ指向性の変更を指令することができる。
なお、利用者の操作を受けてアンテナ部へ指向性の変更を指令するためには、例えば、指向性の変更を行うためのスイッチ類（スイッチ、キー、ボタンなど）を設けたり、指向性の変更を行うための操作手順（例えば、既設のスイッチ類を特定の順番で操作すること）を設定しておけばよい。
【００２７】
なお、上述の妨害成分除去部は、チューナー部により受信された放送信号から、この放送信号に含まれる妨害成分に相当する信号成分を除去するものであって、その具体的な構成は特に限定されない。例えば、チューナー部が、希望波映像信号および妨害波映像信号それぞれが所定の周波数オフセットされた第１，第２搬送波に重畳されてなる放送信号を選局するような場合には、請求項９に記載のように構成するとよい。
【００２８】
請求項９に記載の放送受信システムは、妨害成分除去部が、直交検波手段、妨害成分生成手段および減算手段を備えている。この放送受信システムでは、妨害成分除去部が、まず、直交検波手段によって、チューナー部により選局された放送信号であって、希望波映像信号および妨害波映像信号それぞれが所定の周波数オフセットされた第１，第２搬送波に重畳されてなる放送信号を直交検波し、放送信号における第１搬送波の同相成分であるＩ信号および直交成分であるＱ信号を生成する。このＱ信号は、第１，第２搬送波のオフセットされた周波数の成分（オフセットビート成分）が反映された信号である。続いて、妨害成分生成手段によって、直交検波手段により生成されたＱ信号から、チューナー部により受信された放送信号における妨害映像信号に相当する信号成分を生成する。そして、減算手段によって、妨害成分生成手段により生成された信号成分を、直交検波手段により生成されたＩ信号から減算する。また、妨害成分検出部が、妨害成分除去部の直交検波手段により生成されたＱ信号の信号レベルを、妨害成分の信号レベルとして検出する。
【００２９】
このように構成された放送受信システムによれば、妨害成分検出部によって、妨害成分除去部の直交検波手段により生成されたＱ信号の信号レベルを、妨害成分の信号レベルとして検出することができる。
さらに、妨害成分除去部によって、放送信号を直交検波して生成されるＱ信号に基づいて妨害成分に相当する信号成分を生成することができ、この信号成分をＱ信号と共に生成されたＩ信号から除去することによって、放送信号からオフセットビート成分を除去することができる。
【００３０】
また、上述の妨害成分除去部は、チューナー部が、ゴースト成分が含まれた放送信号を選局するような場合には、請求項１０に記載のように構成するとよい。
請求項１０に記載の放送受信システムは、妨害成分除去部が、タップ利得を設定可能であって、設定されたタップ利得に基づきチューナー部により受信された放送信号から、この放送信号に含まれるゴースト成分を除去するトランスバーサルフィルタで構成されるゴースト除去手段と、ゴースト除去手段の入力信号または出力信号から、この信号に含まれるゴースト検出用の基準信号を抽出し、この基準信号に基づいてゴースト除去手段に対して設定すべきタップ利得を決定すると共に、このタップ利得をゴースト除去手段のタップ利得として設定する利得設定手段と、を備えており、妨害成分検出部が、チューナー部により受信された放送信号に含まれるゴースト成分の信号レベルを放送信号における妨害信号の信号レベルとして検出する。
【００３１】
このように構成された放送受信システムによれば、妨害成分検出部によって、放送信号に含まれるゴースト成分の信号レベルを、妨害成分の信号レベルとして検出することができる。
さらに、妨害成分除去部によって、利得設定手段でタップ利得を設定すると共に、設定されたタップ利得に基づいてゴースト除去手段でゴースト成分を除去することができる。
【００３２】
なお、この構成における妨害成分検出部は、放送信号に含まれるゴースト成分の信号レベルを検出するものであって、例えば、放送信号を構成する映像信号における垂直帰線期間内の水平同期パルスの間に挿入されているカラーバースト信号、または、垂直帰線期間内の垂直同期信号の始まり部分の波形歪または水平同期信号の尖頭部分の波形歪に基づいて、ゴースト成分の信号レベルを検出するように構成される。
【００３３】
また、請求項１１に記載の妨害成分除去装置は、チューナー部、妨害成分検出部、変更指令部および妨害成分除去部を備えている。この妨害成分除去装置は、まず、チューナー部が、アンテナ部により受信された放送信号のうち特定の放送信号を選局する。続いて、妨害成分検出部が、チューナー部により選局された放送信号から、この放送信号に含まれる妨害成分の信号レベルを検出する。そして、変更指令部が、妨害成分検出部により検出される妨害成分の信号レベルが小さくなるようにアンテナ部の指向性を変更させると共に、妨害成分除去部が、チューナー部により選局された放送信号から、この放送信号に含まれる妨害成分に相当する信号成分を除去する。
【００３４】
このように構成された妨害成分除去装置は、請求項１に記載の放送受信システムを構成することができるため、この妨害成分除去装置を一部構成とする放送受信システムは、請求項１に記載の放送受信システムと同様の作用・効果を得ることができる。
【００３５】
また、この妨害成分除去装置は、請求項２または請求項３に記載の各部と同様に、アンテナ部を、複数種類の指向性のうちのいずれかに変更可能とし、変更指令部を、アンテナ部の指向性を順次変更させるように構成してもよい。この場合、妨害成分除去装置が請求項２または請求項３に記載の放送受信システムを構成することができるため、この妨害成分除去装置を一部構成とする放送受信システムは、請求項２または請求項３に記載の放送受信システムと同様の作用・効果を得ることができる。
【００３６】
また、請求項１１に記載の妨害成分除去装置は、請求項４から請求項６のいずれかに記載の各部と同様に、アンテナ部を、指令信号の信号レベルに応じて指向性を変更可能とし、変更指令部を、指令信号の信号レベルに応じてアンテナ部の指向性を変更させるように構成してもよい。この場合、妨害成分除去装置が請求項４から請求項６のいずれかに記載の放送受信システムを構成することができるため、この妨害成分除去装置を一部構成とする放送受信システムは、請求項４から請求項６のいずれかに記載の放送受信システムと同様の作用・効果を得ることができる。
【００３７】
また、請求項１１に記載の妨害成分除去装置は、請求項７に記載の各部と同様に、アンテナ部を、複数のアンテナ素子、混合器および位相制御器などで構成してもよい。この場合、妨害成分除去装置が請求項７に記載の放送受信システムを構成することができるため、この妨害成分除去装置を一部構成とする放送受信システムは、請求項７に記載の放送受信システムと同様の作用・効果を得ることができる。
【００３８】
また、請求項１１に記載の妨害成分除去装置は、請求項８に記載の各部と同様に、変更指令部を、利用者の操作を受けてアンテナ部へ指向性の変更を指令するように構成してもよい。この場合、妨害成分除去装置が請求項８に記載の放送受信システムを構成することができるため、この妨害成分除去装置を一部構成とする放送受信システムは、請求項８に記載の放送受信システムと同様の作用・効果を得ることができる。
【００３９】
また、請求項１１に記載の妨害成分除去装置は、請求項９に記載の各部と同様に、妨害成分除去部を、直交検波手段、妨害成分生成手段および減算手段などで構成して、妨害成分検出部を、Ｑ信号の信号レベルを妨害成分の信号レベルとして検出するように構成してもよい。この場合、妨害成分除去装置が請求項９に記載の放送受信システムを構成することができるため、この妨害成分除去装置を一部構成とする放送受信システムは、請求項９に記載の放送受信システムと同様の作用・効果を得ることができる。
【００４０】
また、請求項１１に記載の妨害成分除去装置は、請求項１０に記載の各部と同様に、妨害成分除去部を、ゴースト除去手段および利得設定手段などで構成して、妨害成分検出部を、ゴースト成分の信号レベルを妨害信号の信号レベルとして検出するように構成してもよい。この場合、妨害成分除去装置が請求項１０に記載の放送受信システムを構成することができるため、この妨害成分除去装置を一部構成とする放送受信システムは、請求項１０に記載の放送受信システムと同様の作用・効果を得ることができる。
【００４１】
また、上記課題を解決するため請求項１２に記載の放送受信システムは、アンテナ部、チューナー部、妨害成分検出部、妨害成分報知部、変更操作部および妨害成分除去部を備え、これらのうち、アンテナ部は、外部からの指令を受けて、放送信号を受信する際の指向性を変更可能に構成されている。この放送受信システムは、まず、チューナー部が、アンテナ部により受信された放送信号のうち特定の放送信号を選局する。続いて、妨害成分検出部が、チューナー部により選局された放送信号から、この放送信号に含まれる妨害成分の信号レベルを検出する。そして、妨害成分報知部が、妨害成分検出部により検出された妨害成分の信号レベルを報知する。この後、変更操作部が、利用者の操作を受けて、アンテナ部の指向性を変更させると共に、妨害成分除去部が、チューナー部により選局された放送信号から、この放送信号に含まれる妨害成分に相当する信号成分を除去する。
【００４２】
このように構成された放送受信システムによれば、利用者は、変更操作部を操作することによって、アンテナ部の指向性を任意に変更することができる。このとき、妨害成分報知部により妨害成分の信号レベルが報知されるため、この信号レベルが小さくなるように変更操作部を操作するだけで、妨害成分検出部により検出される妨害成分の信号レベルが小さくなるようにアンテナ部の指向性を変更させることができる。そのため、利用者がアンテナ部自体の向きを変更するといった作業を行う必要がなく、また、妨害成分が充分に除去されたかどうかを目視で映像から確認する必要もない。よって、アンテナ部の指向性を容易かつ確実に妨害成分の影響を受けにくい指向性に変更することができる。
【００４３】
さらに、妨害成分除去部によって、放送信号に含まれる妨害成分に相当する信号成分を放送信号から除去することができる。そのため、アンテナ部の指向性が妨害成分の影響を受けにくい指向性に変更された状態において、チューナー部により選局された放送信号に妨害成分が含まれて（残って）いたとしても、このような妨害成分を除去することができる。
【００４４】
なお、上述の妨害成分報知部は、妨害成分検出部により検出された妨害成分の信号レベルを報知するものであって、具体的な構成としては、例えば、信号レベルそのものを表示することにより報知するメータ、妨害成分検出部により検出された信号レベルが特定の信号レベルとなったときに点灯して報知するランプ、妨害成分検出部により検出された信号レベルが特定の信号レベルとなったときに所定の音声（警告音）を出力して報知するスピーカ（およびスピーカ駆動回路）などを採用することができる。
【００４５】
また、変更操作部は、利用者の操作を受けてアンテナ部に指向性の変更を指令するものであって、アンテナ部が放送信号を受信する際の指向性を複数種類の指向性のうちのいずれかに変更可能であって、外部から指令として入力される指令信号の信号レベルに応じて、放送信号を受信する際の指向性を変更するように構成されている場合には、請求項１３に記載のように、変更操作部は、アンテナ部へ指令信号を出力することによって、この指令信号の信号レベルに応じた指向性へアンテナ部の指向性を変更させる、ように構成すればよい。
【００４６】
このように構成された放送受信システムによれば、変更操作部からアンテナ部へ出力（入力）する指令信号の信号レベルに応じて、アンテナ部の指向性を変更することができる。
また、上述したアンテナ部の具体的な構成としては、例えば、請求項１４に記載のように、複数のアンテナ素子と、アンテナ素子それぞれにより受信される放送信号を混合する混合器と、外部から指令として入力される指令信号の信号レベルに応じて、混合器により混合される放送信号それぞれの位相関係を制御することによってアンテナ部自身の指向性を変更する位相制御器と、を備えた構成を採用することができる。
【００４７】
このように構成された放送受信システムによれば、アンテナ部の位相制御器が、外部から入力した指令信号の信号レベルに応じた位相関係となるように、混合器により混合される放送信号それぞれの位相関係を制御することによって、アンテナ部自身の指向性を変更することができる。
【００４８】
また、上述したアンテナ部の別の構成としては、複数のアンテナ素子と、アンテナ素子それぞれにより受信される放送信号を混合する混合器と、混合器により混合される放送信号それぞれの位相関係を制御することによってアンテナ部自身の指向性を変更する位相制御器と、外部からの指令を受けた際に、該指令に基づいて位相制御器を駆動して位相関係を制御させる駆動部と、を備えた構成を採用することもできる。
【００４９】
また、上述したアンテナ部の別の構成としては、複数のアンテナ素子と、アンテナ素子それぞれにより受信される放送信号を混合する混合器と、外部からの指令を受けて、混合器により混合される放送信号のうち一部または全部の放送信号に対して重み付けをおこなうことによってアンテナ部自身の指向性を変更する重み付け部と、を備えた構成を採用することもできる。このように構成すれば、アンテナ部の重み付け部が、外部から受けた指令に応じた重み付けを行うことによって、アンテナ部自身の指向性を変更することができる。
【００５０】
なお、上述の妨害成分除去部は、チューナー部により受信された放送信号から、この放送信号に含まれる妨害成分に相当する信号成分を除去するものであって、その具体的な構成は特に限定されない。例えば、チューナー部が、希望波映像信号および妨害波映像信号それぞれが所定の周波数オフセットされた第１，第２搬送波に重畳されてなる放送信号を選局するような場合には、請求項１５に記載のように構成するとよい。請求項１５に記載の放送受信システムは、請求項９に記載の放送受信システムと同様の構成であって、妨害成分除去部が、直交検波手段、妨害成分生成手段および減算手段を備えている。
【００５１】
このように構成された放送受信システムによれば、請求項９と同様に、妨害成分検出部によって、妨害成分除去部の直交検波手段により生成されたＱ信号の信号レベルを、妨害成分の信号レベルとして検出することができる。
さらに、妨害成分除去部によって、放送信号を直交検波して生成されるＱ信号に基づいて妨害成分に相当する信号成分を生成することができ、この信号成分をＱ信号と共に生成されたＩ信号から除去することによって、放送信号からオフセットビート成分を除去することができる。
【００５２】
また、上述の妨害成分除去部は、チューナー部が、ゴースト成分が含まれた放送信号を選局するような場合には、請求項１６に記載のように構成するとよい。請求項１６に記載の放送受信システムは、請求項１０に記載の放送受信システムと同様の構成であって、妨害成分除去部が、ゴースト除去手段および利得設定手段を備えている。
【００５３】
このように構成された放送受信システムによれば、請求項１０と同様に、妨害成分検出部によって、放送信号に含まれるゴースト成分の信号レベルを、妨害成分の信号レベルとして検出することができる。
さらに、妨害成分除去部によって、利得設定手段でタップ利得を設定すると共に、設定されたタップ利得に基づいてゴースト除去手段でゴースト成分を除去することができる。
【００５４】
なお、この構成における妨害成分検出部は、放送信号に含まれるゴースト成分の信号レベルを検出するものであって、例えば、放送信号を構成する映像信号における垂直帰線期間内の水平同期パルスの間に挿入されているカラーバースト信号、または、垂直帰線期間内の垂直同期信号の始まり部分の波形歪または水平同期信号の尖頭部分の波形歪に基づいて、ゴースト成分の信号レベルを検出するように構成される。
【００５５】
また、請求項１７に記載の妨害成分除去装置は、チューナー部、妨害成分検出部および妨害成分除去部を備えている。この妨害成分除去装置は、まず、チューナー部が、アンテナ部により受信された放送信号のうち特定の放送信号を選局すると共に、妨害成分除去部が、チューナー部により選局された放送信号から、この放送信号に含まれる妨害成分に相当する信号成分を除去する。そして、妨害成分検出部が、チューナー部により選局された放送信号から、この放送信号に含まれる妨害成分の信号レベルを検出する。
【００５６】
このように構成された妨害成分除去装置は、請求項１２に記載の放送受信システムを構成することができるため、この妨害成分除去装置を一部構成とする放送受信システムは、請求項１２に記載の放送受信システムと同様の作用・効果を得ることができる。
【００５７】
また、請求項１７に記載の妨害成分除去装置は、請求項１３に記載の各部と同様に、アンテナ部を、指令信号の信号レベルに応じて放送信号を受信する際の指向性を複数種類の指向性のうちのいずれかに変更可能に構成し、変更操作部を、指令信号の信号レベルに応じた指向性へアンテナ部の指向性を変更させる、ように構成してもよい。この場合、妨害成分除去装置が請求項１３に記載の放送受信システムを構成することができるため、この妨害成分除去装置を一部構成とする放送受信システムは、請求項１３に記載の放送受信システムと同様の作用・効果を得ることができる。
【００５８】
また、請求項１７に記載の妨害成分除去装置は、請求項１４に記載の各部と同様に、アンテナ部を、複数のアンテナ素子、混合器および位相制御器などで構成してもよい。この場合、妨害成分除去装置が請求項１４に記載の放送受信システムを構成することができるため、この妨害成分除去装置を一部構成とする放送受信システムは、請求項１４に記載の放送受信システムと同様の作用・効果を得ることができる。
【００５９】
また、請求項１７に記載の妨害成分除去装置は、請求項１５に記載の各部と同様に、妨害成分除去部を、直交検波手段、妨害成分生成手段および減算手段などで構成して、妨害成分検出部を、Ｑ信号の信号レベルを妨害成分の信号レベルとして検出するように構成してもよい。この場合、妨害成分除去装置が請求項１５に記載の放送受信システムを構成することができるため、この妨害成分除去装置を一部構成とする放送受信システムは、請求項１５に記載の放送受信システムと同様の作用・効果を得ることができる。
【００６０】
また、請求項１７に記載の妨害成分除去装置は、請求項１６に記載の各部と同様に、妨害成分除去部を、ゴースト除去手段および利得設定手段などで構成して、妨害成分検出部を、ゴースト成分の信号レベルを妨害信号の信号レベルとして検出するように構成してもよい。この場合、妨害成分除去装置が請求項１６に記載の放送受信システムを構成することができるため、この妨害成分除去装置を一部構成とする放送受信システムは、請求項１６に記載の放送受信システムと同様の作用・効果を得ることができる。
【００６１】
また、請求項１８に記載のアンテナ制御装置は、外部から入力された信号成分の信号レベルを報知する妨害成分報知部と、利用者の操作を受けて、放送信号を受信する際の指向性を変更可能なアンテナ部の指向性を変更させる変更操作部と、を備えている。
【００６２】
このように構成されたアンテナ制御装置は、請求項１２に記載の放送受信システムを構成することができるため、このアンテナ制御装置を一部構成とする放送受信システムは、請求項１２に記載の放送受信システムと同様の作用・効果を得ることができる。
【００６３】
また、請求項１８に記載のアンテナ制御装置は、請求項１３に記載の各部と同様に、変更操作部を、指令信号の信号レベルに応じた指向性へアンテナ部の指向性を変更させる、ように構成してもよい。この場合、アンテナ制御装置が請求項１３に記載の放送受信システムを構成することができるため、このアンテナ制御装置を一部構成とする放送受信システムは、請求項１３に記載の放送受信システムと同様の作用・効果を得ることができる。
【００６４】
【発明の実施の形態】
次に本発明の実施の形態について例を挙げて説明する。
［第１実施形態］
放送受信システム１は、図１に示すように、テレビ放送信号を受信するアンテナ部１０、アンテナ部１０により受信されたテレビ放送信号から、このテレビ放送信号に含まれる妨害成分を除去する妨害成分除去装置２０などで構成される。
【００６５】
アンテナ部１０は、テレビ放送信号を受信する際の指向性を変更することができるアンテナ（いわゆる位相給電アンテナ、多基合成ヌル可変形アンテナ）であって、２本のアンテナ素子１１０、混合器１２０、位相制御器１３０、フィルタ１４０などからなる。
【００６６】
これらのうち、混合器１２０は、アンテナ素子１１０それぞれにより受信されるテレビ放送信号を混合し、この混合したテレビ放送信号をフィルタ１４０へ出力する。
また、位相制御器１３０は、外部からフィルタ１４０を介して入力される駆動信号（後述する）の電圧値に応じて、２本のアンテナ素子１１０のうち一方のアンテナ素子１１０ａにより受信されるテレビ放送信号の位相を、他方のアンテナ素子１１０ｂにより受信されるテレビ放送信号の位相に対して進める（または遅らせる）ことによって、２本のアンテナ素子１１０により受信されるテレビ放送信号それぞれの位相関係を制御する。このように、テレビ放送信号それぞれの位相関係を制御することによって、テレビ放送信号を受信する際のアンテナ部１０全体としての指向性を変更することができる。なお、この位相制御器１３０は、駆動信号の電圧値をＶｍｉｎ（本実施形態においては０Ｖ）からＶｍａｘ（本実施形態においては５００ｍＶ）まで上昇させる間に、両テレビ放送信号の位相を最小位相差０度から最大位相差３６０度まで変化させる。
【００６７】
そして、フィルタ１４０は、混合器１２０により混合されて妨害成分除去装置２０へ出力されるテレビ放送信号と、妨害成分除去装置２０から入力して位相制御器１３０へ出力される駆動信号とを、同一の伝送ケーブル３０に重畳させるための分波器である。
【００６８】
妨害成分除去装置２０は、チューナー部２１０、直交検波部２２０、アナログ−デジタル（以降、Ａ／Ｄとする）変換部２３０，２３２，２３４、デジタル−アナログ（以降、Ｄ／Ａとする）変換部２３６，２３８、第１信号処理部２４０、ＲＦ変調部２５０および音声遅延調整部２６０、積分回路２７０、第２信号処理部２８０、駆動回路２９０、操作部３００、フィルタ３１０などを備えている。
【００６９】
これらのうち、チューナー部２１０は、アンテナ部１０から入力したＲＦ（Ｒａｄｉｏ  Ｆｒｅｑｕｅｎｃｙ  ）帯域のテレビ放送信号から特定のテレビ放送信号を選局してＩＦ（Ｉｎｔｅｒｍｅｄｉａｔｅ  Ｆｒｅｑｕｅｎｃｙ）帯域に変換し、この変換したＩＦ帯域のテレビ放送信号を直交検波部２２０へ出力する。ここで、チューナー部２１０がＩＦ帯域に変換したテレビ放送信号は、映像信号として、希望波映像信号および妨害波映像信号それぞれが所定の周波数（１０．０１ｋＨｚ；以降、オフセット周波数とする）オフセットされた第１，第２搬送波に重畳された信号である。なお、このテレビ放送信号に含まれる音声信号については、チューナー部２１０によりＩＦ帯域に変換された後、音声遅延調整部２６０により遅延調整されてからＲＦ変調部２５０へ出力される。
【００７０】
また、直交検波部２２０は、まず、チューナー部２１０から入力されたＩＦ帯域のテレビ放送信号に基づき第１搬送波を再生する。続いて、この再生した第１搬送波でテレビ放送信号を検波することにより第１搬送波の同相成分であるＩ（Ｉｎ  ｐｈａｓｅ）信号を生成する。そして、再生した第１搬送波の位相を９０度（π／２ｒａｄ）移相させた後、この９０度移相した第１搬送波でテレビ放送信号を検波することにより第１搬送波の直交成分であるＱ（Ｑｕａｄｒａｔｕｒｅ  ｐｈａｓｅ）信号を生成する。また、この直交検波部２２０は、Ｉ信号をＡ／Ｄ変換部２３０を介して第１信号処理部２４０へ出力し、Ｑ信号を積分回路２７０へ出力すると共にＡ／Ｄ変換部２３２を介して第１信号処理部２４０へ出力する。なお、直交検波部２２０により生成されるＩ信号は、希望波映像信号の成分、妨害波映像信号の成分、および、オフセット周波数の成分が反映された信号成分であって、Ｑ信号は、オフセット周波数の成分、つまり、オフセットビート成分が反映された信号成分である。
【００７１】
また、第１信号処理部２４０は、直交検波部２２０からＡ／Ｄ変換部２３２を介して入力したＱ信号に基づきオフセットビート成分に相当する信号成分を生成する妨害成分生成部２４２、直交検波部２２０からＡ／Ｄ変換部２３０を介して入力したＩ信号の遅延調整を行うＩ信号遅延調整部２４４、Ｉ信号遅延調整部２４４で遅延調整されたＩ信号から妨害成分生成部２４２で生成した信号成分を減算して除去する妨害成分除去部２４６などからなる集積回路である。また、この第１信号処理部２４０は、妨害成分除去部２４６によりオフセットビート成分に相当する信号成分を除去したＩ信号を、Ｄ／Ａ変換部２３６を介してＲＦ変調部２５０へ出力する。なお、第１信号処理部２４０の妨害成分生成部２４２が信号成分を生成する手順としては、例えば、特許文献１に記載されたオフセットビートキャンセラと同様に、テレビ放送信号（入力テレビジョン信号）を直交検波して生成した直交成分のＱ信号（妨害波）から、オフセット周波数（１０．０１ｋＨｚおよび２０．０２ｋＨｚ）の信号成分をフィルタで抽出し、この抽出した信号成分をテレビ放送信号から除去すべき除去信号（周波数混合出力信号）として生成した後、この生成した除去信号をテレビ放送信号から減算する、といった手順である。
【００７２】
また、ＲＦ変調部２５０は、Ｄ／Ａ変換部２３６を介して入力したＩＦ帯域の信号、および、チューナー部２１０から音声遅延調整部２６０を介して入力したＩＦ帯域の音声信号を混合した後、ＲＦ帯域に変調して端末装置（例えば、テレビなど）へ出力する。
【００７３】
また、積分回路２７０は、直交検波部２２０により生成されたＱ信号を平均化して、この平均化した信号をＡ／Ｄ変換部２３４を介して第２信号処理部２８０へ出力する。
また、第２信号処理部２８０は、後述する変更指令処理（図２）を実行してアンテナ部１０の指向性を変更させるための集積回路であって、この変更指令処理において、駆動回路２９０に発生させるべき駆動信号の信号レベル（電圧値）を示すレベルデータを、積分回路２７０からＡ／Ｄ変換部２３４を介して入力したＱ信号に基づいて生成すると共に、このレベルデータを、Ｄ／Ａ変換部２３８を介して駆動回路２９０へ出力する。
【００７４】
また、駆動回路２９０は、アンテナ部１０の位相制御器１３０を駆動するための回路であって、第２信号処理部２８０からＤ／Ａ変換部２３８を介して入力したレベルデータに基づいて、このレベルデータで示される電圧値の駆動信号を、フィルタ３１０を介してアンテナ部１０へ出力（印加）する。
【００７５】
また、操作部３００は、第２信号処理部２８０によるアンテナ部１０の指向性変更を開始させる指向性変更スイッチなどを備えている。
そして、フィルタ３１０は、駆動回路２９０からアンテナ部１０へ出力される駆動信号と、アンテナ部１０から入力してチューナー部２１０へ出力されるテレビ放送信号とを、同一の伝送ケーブル３０に重畳させるための分波器である。
○第２信号処理部２８０による変更指令処理
以下に、第２信号処理部２８０による変更指令処理の処理手順を、図２に基づいて説明する。この変更指令処理は、妨害成分除去装置２０を起動（電源ＯＮ）した際に開始され、終了（電源ＯＦＦ）するまで繰り返し実行される。
【００７６】
まず、アンテナ部１０への駆動信号の出力を指令する（ｓ１１０）。ここでは、電圧値Ｖ０が基準となる電圧値Ｖｒｅｆ（Ｖｒｅｆ→Ｖ０；本実施形態においては、Ｖｒｅｆ＝（Ｖｍａｘ−Ｖｍｉｎ）／２））の駆動信号を発生させるためのレベルデータを生成して駆動回路２９０へ出力し、このレベルデータを入力した駆動回路２９０がアンテナ部１０（の位相制御器１３０）へ電圧値Ｖｒｅｆの駆動信号を出力（印加）する。これによって、アンテナ部１０は、位相制御器１３０により各テレビ放送信号の位相関係を駆動信号の電圧値Ｖｒｅｆに相当する位相差となるように変化させ、この位相差に対応した指向性となる。
【００７７】
次に、操作部３００の指向性変更スイッチが押下されるまで待機する（ｓ１２０：ＮＯ）。
このｓ１２０の処理で指向性変更スイッチが押下されたら（ｓ１２０：ＹＥＳ）、直交検波部２２０から積分回路２７０を介して入力されるＱ信号の信号レベルをチェックする（ｓ１３０）。ここでは、積分回路２７０により平均化されたＱ信号の電圧値Ｖｑが所定のしきい値Ｖｔｈより大きい（Ｖｔｈ＜Ｖｑ）かどうかをチェックする。このしきい値Ｖｔｈは、テレビ放送信号から除去すべきＱ信号、つまり、除去すべき妨害成分の信号レベルとしてあらかじめ定められたものである。
【００７８】
このｓ１３０の処理で、Ｑ信号の信号レベルが所定のしきい値以下（Ｖｑ≦Ｖｔｈ）である場合（ｓ１３０：ＮＯ）、ｓ１２０の処理へ戻る。
一方、ｓ１３０の処理で、Ｑ信号の信号レベルが所定のしきい値より大きい（Ｖｔｈ＜Ｖｑ）場合（ｓ１３０：ＹＥＳ）、駆動信号の信号レベルを一定の第１レベルだけ上昇させる（ｓ１４０）。ここでは、アンテナ部１０へ出力されている駆動信号の電圧値Ｖ０を一定の値Ｖａ（Ｖａ＜Ｖｒｅｆ）だけ上昇（Ｖ０＋Ｖａ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０をＶａだけ上昇する。これにより、アンテナ部１０において、各テレビ放送信号の位相関係が駆動信号の電圧値Ｖ０に対応する位相差となるように変化することに伴って指向性が変化する。
【００７９】
次に、ｓ１４０の処理で駆動信号の信号レベルが上昇したことに伴って、直交検波部２２０から入力されるＱ信号の信号レベルが低下したかどうかをチェックする（ｓ１５０）。ここでは、ｓ１４０の処理が行われた前後でＱ信号の電圧値Ｖｑが低下したかどうかをチェックする。
【００８０】
このｓ１５０の処理で、Ｑ信号の信号レベルが低下していれば（ｓ１５０：ＹＥＳ）、直交検波部２２０から入力されるＱ信号の信号レベルをチェックする（ｓ１６０）。ここでは、ｓ１３０の処理と同様に、Ｑ信号の電圧値Ｖｑがしきい値Ｖｔｈより大きいかどうかをチェックする。
【００８１】
このｓ１６０の処理で、Ｑ信号の信号レベルが所定のしきい値以下（Ｖｑ≦Ｖｔｈ）である場合（ｓ１６０：ＮＯ）、ｓ１２０の処理へ戻る。
一方、ｓ１６０の処理で、Ｑ信号の信号レベルがしきい値より大きい（Ｖｔｈ＜Ｖｑ）場合（ｓ１６０：ＹＥＳ）、駆動信号の信号レベルを第１レベルだけ上昇させる（ｓ１７０）。ここでは、ｓ１４０の処理と同様に、駆動信号の電圧値Ｖ０をＶａだけ上昇させることによって、アンテナ部１０の指向性を変化させる。
【００８２】
次に、ｓ１７０の処理で駆動信号の信号レベルが上昇したことに伴って、直交検波部２２０から入力されるＱ信号の信号レベルが低下したかどうかをチェックする（ｓ１８０）。ここでは、１５０の処理と同様に、ｓ１７０の処理が行われた前後でＱ信号の電圧値Ｖｑが低下したかどうかをチェックする。
【００８３】
このｓ１８０の処理で、Ｑ信号の信号レベルが低下していれば（ｓ１８０：ＹＥＳ）、ｓ１６０の処理へ戻る。
一方、ｓ１８０の処理で、Ｑ信号の信号レベルが低下していなければ（ｓ１８０：ＮＯ）、駆動信号の信号レベルを一定の第２レベルだけ低下させる（ｓ１９０）。ここでは、駆動信号の電圧値Ｖ０をＶａの１／１０であるＶｂだけ低下（Ｖ０−Ｖｂ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０をＶｂだけ低下する。これにより、アンテナ部１０において、各テレビ放送信号の位相関係が駆動信号の電圧値Ｖ０に対応する位相差となるように変化することに伴って指向性が変化する。
【００８４】
次に、直交検波部２２０から入力されるＱ信号の信号レベルをチェックする（ｓ２００）。ここでは、ｓ１３０，ｓ１６０の処理と同様に、Ｑ信号の電圧値Ｖｑがしきい値Ｖｔｈより大きいかどうかをチェックする。
このｓ２００の処理で、Ｑ信号の信号レベルが所定のしきい値以下（Ｖｑ≦Ｖｔｈ）である場合（ｓ２００：ＮＯ）、ｓ１２０の処理へ戻る。
【００８５】
一方、ｓ２００の処理で、Ｑ信号の信号レベルがしきい値より大きい（Ｖｔｈ＜Ｖｑ）場合（ｓ２００：ＹＥＳ）、ｓ１９０の処理で駆動信号の信号レベルが低下したことに伴って、直交検波部２２０から入力されるＱ信号の信号レベルが低下したかどうかをチェックする（ｓ２１０）。ここでは、ｓ１５０，１８０の処理と同様に、ｓ１９０の処理が行われた前後でＱ信号の電圧値Ｖｑが低下したかどうかをチェックする。
【００８６】
このｓ２１０の処理で、Ｑ信号の信号レベルが低下していれば（ｓ２１０：ＹＥＳ）、ｓ１９０の処理により駆動信号の信号レベルが低下したことに伴うＱ信号（の信号レベル）の変化量をチェックする（ｓ２２０）。ここでは、ｓ１９０の処理により駆動信号の電圧値Ｖ０が低下したことに伴いＱ信号の電圧値Ｖｑが変化した変化量ΔＶｑが、あらかじめ定められたしきい値ΔＶｔｈより大きい（ΔＶｔｈ＜ΔＶｑ）かどうかをチェックする。
【００８７】
このｓ２２０の処理で、Ｑ信号の変化量が所定のしきい値以下（ΔＶｑ≦ΔＶｔｈ）である場合（ｓ２２０：ＮＯ）、ｓ１２０の処理へ戻る。
一方、ｓ２２０の処理で、Ｑ信号の変化量がしきい値より大きい（ΔＶｔｈ＜ΔＶｑ）場合（ｓ２２０：ＹＥＳ）、ｓ１９０の処理へ戻る。
【００８８】
また、ｓ２１０の処理で、Ｑ信号の信号レベルが低下していなければ（ｓ２１０：ＮＯ）、駆動信号の信号レベルを一定の第２レベルだけ上昇させた後（ｓ２３０）、ｓ１２０の処理へ戻る。ここでは、駆動信号の電圧値Ｖ０をＶｂだけ上昇（Ｖ０＋Ｖｂ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０をＶｂだけ上昇する。これによって、アンテナ部１０における各テレビ放送信号の位相関係および指向性が、直前に行われたｓ１９０の処理で駆動信号の信号レベルが低下する前の状態に戻される。
【００８９】
また、上述したｓ１５０の処理で、Ｑ信号の信号レベルが低下していなければ（ｓ１５０：ＮＯ）、駆動信号の信号レベルを第１レベルの２倍に相当するレベルだけ低下させる（ｓ２４０）。ここでは、アンテナ部１０へ出力されている駆動信号の電圧値Ｖ０をＶａの２倍だけ低下（Ｖ０−２Ｖａ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０を２Ｖａだけ低下する。この状態は、駆動信号の電圧値Ｖ０が、ｓ１４０の処理で上昇する前の電圧値から電圧値Ｖａだけ低下した状態である。これにより、アンテナ部１０において、各テレビ放送信号の位相関係が駆動信号の電圧値Ｖ０に対応する位相差となるように変化することに伴って指向性が変化する。
【００９０】
次に、ｓ２４０（または、後述するｓ２７０）の処理で駆動信号の信号レベルが低下したことに伴って、直交検波部２２０から入力されるＱ信号の信号レベルが低下したかどうかをチェックする（ｓ２５０）。ここでは、ｓ１５０，ｓ１８０，ｓ２１０の処理と同様に、ｓ２４０（または、後述するｓ２７０）の処理が行われた前後でＱ信号の電圧値Ｖｑが低下したかどうかをチェックする。
【００９１】
このｓ２５０の処理で、Ｑ信号の信号レベルが低下していれば（ｓ２５０：ＹＥＳ）、直交検波部２２０から入力されるＱ信号の信号レベルをチェックする（ｓ２６０）。ここでは、ｓ１３０，ｓ１６０，ｓ２００の処理と同様に、Ｑ信号の電圧値Ｖｑがしきい値Ｖｔｈより大きいかどうかをチェックする。
【００９２】
このｓ２６０の処理で、Ｑ信号の信号レベルが所定のしきい値以下（Ｖｑ≦Ｖｔｈ）である場合（ｓ２６０：ＮＯ）、ｓ１２０の処理へ戻る。
一方、ｓ２６０の処理で、Ｑ信号の信号レベルがしきい値より大きい（Ｖｔｈ＜Ｖｑ）場合（ｓ２６０：ＹＥＳ）、駆動信号の信号レベルを第１レベルだけ低下させる（ｓ２７０）。ここでは、アンテナ部１０へ出力されている駆動信号の電圧値Ｖ０をＶａだけ低下（Ｖ０−Ｖａ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０をＶａだけ低下する。これにより、アンテナ部１０において、テレビ放送信号の位相関係が駆動信号の電圧値Ｖ０に対応する位相差となるように変化することに伴って指向性が変化する。
【００９３】
このｓ２７０の処理を終えた後、ｓ２５０の処理へ戻る。
また、ｓ２５０の処理で、Ｑ信号の信号レベルが低下していなければ（ｓ２５０：ＮＯ）、駆動信号の信号レベルを一定の第２レベルだけ上昇させる（ｓ２８０）。ここでは、駆動信号の電圧値Ｖ０をＶａの１／１０であるＶｂだけ上昇（Ｖ０＋Ｖｂ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０をＶｂだけ上昇する。これにより、アンテナ部１０において、テレビ放送信号の位相関係が駆動信号の電圧値Ｖ０に対応する位相差となるように変化することに伴って指向性が変化する。
【００９４】
次に、直交検波部２２０から入力されるＱ信号の信号レベルをチェックする（ｓ２９０）。ここでは、ｓ１３０，ｓ１６０，ｓ２００，ｓ２６０の処理と同様に、Ｑ信号の電圧値Ｖｑがしきい値Ｖｔｈより大きいかどうかをチェックする。
このｓ２９０の処理で、Ｑ信号の信号レベルが所定のしきい値以下（Ｖｑ≦Ｖｔｈ）である場合（ｓ２９０：ＮＯ）、ｓ１２０の処理へ戻る。
【００９５】
一方、ｓ２９０の処理で、Ｑ信号の信号レベルがしきい値より大きい（Ｖｔｈ＜Ｖｑ）場合（ｓ２９０：ＹＥＳ）、ｓ２８０の処理で駆動信号の信号レベルが上昇したことに伴って、直交検波部２２０から入力されるＱ信号の信号レベルが低下したかどうかをチェックする（ｓ３００）。ここでは、ｓ１５０，１８０，ｓ２１０，ｓ２５０の処理と同様に、ｓ２８０の処理が行われた前後でＱ信号の電圧値Ｖｑが低下したかどうかをチェックする。
【００９６】
このｓ３００の処理で、Ｑ信号の信号レベルが低下していれば（ｓ３００：ＹＥＳ）、ｓ２８０の処理で駆動信号の信号レベルが上昇したことに伴うＱ信号（の信号レベル）の変化量をチェックする（ｓ３１０）。ここでは、ｓ２８０の処理により駆動信号の電圧値Ｖ０が上昇したことに伴いＱ信号の電圧値Ｖｑが変化した変化量ΔＶｑが、あらかじめ定められたしきい値ΔＶｔｈより大きい（ΔＶｔｈ＜ΔＶｑ）かどうかをチェックする。
【００９７】
このｓ３１０の処理で、Ｑ信号の変化量が所定のしきい値以下（ΔＶｑ≦ΔＶｔｈ）である場合（ｓ３１０：ＮＯ）、ｓ１２０の処理へ戻る。
一方、ｓ３１０の処理で、Ｑ信号の変化量がしきい値より大きい（ΔＶｔｈ＜ΔＶｑ）場合（ｓ３１０：ＹＥＳ）、ｓ２８０の処理へ戻る。
【００９８】
また、ｓ３００の処理で、Ｑ信号の信号レベルが低下していなければ（ｓ３００：ＮＯ）、駆動信号の信号レベルを一定の第２レベルだけ低下させた後（ｓ３２０）、ｓ１２０の処理へ戻る。ここでは、駆動信号の電圧値Ｖ０をＶｂだけ低下（Ｖ０−Ｖｂ→Ｖ０）させた電圧を発生させるためのレベルデータを生成して駆動回路２９０へ出力し、このレベルデータを入力した駆動回路２９０がアンテナ部１０へ出力している駆動信号の電圧値Ｖ０をＶｂだけ低下する。これによって、アンテナ部１０における各テレビ放送信号の位相関係および指向性が、ｓ２８０の処理で駆動信号の信号レベルが上昇する前の状態に戻る。
【００９９】
［第１実施形態の効果］
このように構成された放送受信システム１によれば、妨害成分除去装置２０の第２信号処理部２８０が実行する変更指令処理（図２）によって、直交検波部２２０から第２信号処理部２８０に入力されるＱ信号の信号レベル（電圧値Ｖｑ）が小さくなるようにアンテナ部１０の指向性を変更させることができる。そのため、利用者がアンテナ部１０自体の向きを変更したり、指向性を調整するための調整部を操作するといった作業を行う必要がなく、また、妨害成分が充分に除去されたかどうかを目視で確認する必要もない。よって、アンテナ部１０の指向性を容易かつ確実に妨害成分の影響を受けにくい指向性に変更することができる。
【０１００】
さらに、妨害成分除去装置２０の第１信号処理部２４０によって、テレビ放送信号（Ｉ信号）に含まれる妨害成分（オフセットビート成分）に相当する信号成分をテレビ放送信号から除去することができる。そのため、アンテナ部１０の指向性が妨害成分の影響を受けにくい指向性に変更された状態において、チューナー部２１０により選局されたテレビ放送信号に妨害成分が含まれていたとしても、このような妨害成分を除去することができる。
【０１０１】
また、図２におけるｓ１３０，ｓ１６０，ｓ２００，ｓ２６０，ｓ２９０の処理で、Ｑ信号の信号レベル（電圧値Ｖｑ）が所定のしきい値（電圧値Ｖｔｈ）より大きければ以降の処理がそれぞれ行われ、しきい値以下であればｓ１２０の処理へ戻るように構成されている。そのため、Ｑ信号の信号レベル（Ｖｑ）が所定のしきい値（Ｖｔｈ）以下まで小さくなるようにアンテナ部１０の指向性を変更させることができる。
【０１０２】
また、図２におけるｓ２２０またはｓ３１０の処理で、駆動信号の信号レベルが低下したことに伴うＱ信号（の信号レベル）の変化量（電圧値ΔＶｑ）が所定のしきい値（電圧値ΔＶｔｈ）より大きい間は、ｓ１９０からｓ２２０の処理またはｓ２８０からｓ３１０までの処理が繰り返し行われる。そのため、この変化量が所定のしきい値（ΔＶｔｈ）以下となるまで、アンテナ部１０の指向性を変更させることができる。
【０１０３】
また、妨害成分除去装置２０の駆動回路２９０からアンテナ部１０へ出力（印加）される駆動信号の信号レベル（電圧値Ｖ０）に応じて、位相制御器１３０が各テレビ放送信号の位相関係を制御することによって、アンテナ部１０全体としての指向性を変更することができる。
【０１０４】
また、妨害成分除去装置２０の第２信号処理部２８０が実行する変更指令処理（図２）によって、直交検波部２２０から第２信号処理部２８０に入力されるＱ信号の信号レベル（電圧値Ｖｑ）が小さくなるようにアンテナ部１０の指向性を変更させることができる。
【０１０５】
また、図２におけるｓ１６０からｓ１８０，ｓ１９０からｓ２２０，ｓ２５０からｓ２７０，ｓ２８０からｓ３１０の処理では、駆動信号の信号レベルを一定レベル（電圧値ＶａまたはＶｂ）間隔で変化させながら、Ｑ信号の信号レベルを低下させることができる。
【０１０６】
また、図２におけるｓ１８０，ｓ２５０の処理では、Ｑ信号の信号レベル（電圧値Ｖｑ）が低下しなくなった場合に、ｓ１９０，ｓ２８０以降の処理が行われるように構成されている。このｓ１９０，ｓ２８０以降の処理では、ｓ１６０からｓ１８０，ｓ２５０からｓ２７０までの処理で駆動信号の信号レベル（電圧値Ｖ０）を上昇させる際に利用される第１レベルに対して１／１０のレベルである第２レベルが、駆動信号の信号レベルを低下させる際に利用されている。そのため、Ｑ信号の信号レベル（Ｖｑ）が低下している間は、駆動信号の信号レベル（Ｖ０）と共にアンテナ部１０の指向性を大きく変化させていき、この大きな変化でＱ信号の信号レベルが低下しなくなった以降は、さらにＱ信号の信号レベル（Ｖｑ）が低下するように、駆動信号の信号レベル（Ｖ０）と共にアンテナ部１０の指向性を小さく変化させていくことができる。よって、Ｑ信号の信号レベルがより低くなるように駆動信号の信号レベル（Ｖ０）、つまり、アンテナ部１０の指向性を変更することができる。
【０１０７】
また、アンテナ部１０の位相制御器１３０が、妨害成分除去装置２０から入力した（印加された）制御信号の信号レベル（電圧値Ｖ０）に応じた位相差となるように、混合器１２０により混合されるテレビ放送信号それぞれの位相関係を制御することによって、アンテナ部１０全体としての指向性を変更することができる。
【０１０８】
また、図２におけるｓ１２０の処理で、操作部３００の指向性変更スイッチが押下されたタイミングで、ｓ１３０以降の処理によりアンテナ部１０へ指向性の変更を指令することができる。
また、第２信号処理部２８０によって、直交検波部２２０により生成されたＱ信号の信号レベル（電圧値Ｖｑ）を妨害成分の信号レベルとして検出することができる。
【０１０９】
また、第１信号処理部２４０によって、直交検波部２２０により生成されたＱ信号に基づいて妨害成分に相当する信号成分を生成することができ（妨害成分生成部２４２による）、この信号成分をＱ信号と共に生成されたＩ信号から除去することによって（妨害成分除去部２４６による）、Ｉ信号（テレビ放送信号）からオフセットビート成分を除去することができる。これによって、テレビ放送信号に基づく映像の画質をより一層向上させることができる。
【０１１０】
［第２実施形態］
放送受信システム２は、第１実施形態における放送受信システム１と一部構成が異なっているだけであるため、この相違点（第１実施形態とは異なる添え字の構成）についてのみ詳述する。
【０１１１】
放送受信システム２は、図３に示すように、アンテナ部１０、妨害成分除去装置６０、メータ部４０、アンテナ制御装置５０などで構成される。
妨害成分除去装置６０は、チューナー部２１０、直交検波部２２０、アナログ−デジタル（以降、Ａ／Ｄとする）変換部２３０，２３２、デジタル−アナログ（以降、Ｄ／Ａとする）変換部２３６、第１信号処理部２４０、ＲＦ変調部２５０および音声遅延調整部２６０などを備えている。
【０１１２】
メータ部４０は、妨害成分除去装置６０の直交検波部２２０により生成されたＱ信号を検波する検波器４２、検波器４２により検波されたＱ信号の信号レベルを検出して表示する表示パネル４４などを備えている。
アンテナ制御装置５０は、各種操作用の操作部５２、駆動回路２９０、フィルタ３１０などを備えている。これらのうち、操作部５２は、駆動回路２９０に発生させるべき駆動信号の信号レベル（電圧値）を設定するためのレベル設定スイッチを備えており、このレベル設定スイッチにより設定された信号レベルを示すレベルデータを駆動回路２９０へ出力する。また、駆動回路２９０は、アンテナ部１０の位相制御器１３０を駆動するための回路であって、操作部５２から入力したレベルデータに基づいて、このレベルデータで示される電圧値の駆動信号を、フィルタ３１０を介してアンテナ部１０へ出力（印加）する。
【０１１３】
［第２実施形態の効果］
このように構成された放送受信システム２によれば、利用者は、アンテナ制御装置５０の操作部５２を操作することによって、アンテナ部１０の指向性を任意に変更することができる。このとき、メータ部４０の表示パネル４４にＱ信号の信号レベル（電圧値Ｖｑ）、つまり、妨害成分の信号レベルが表示されるため、この信号レベルが小さくなるように操作部５２を操作するだけで、メータ部４０の検波器４２により検出される妨害成分の信号レベルが小さくなるようにアンテナ部１０の指向性を変更させることができる。そのため、利用者がアンテナ部１０自体の向きを変更するといった作業を行う必要がなく、また、妨害成分が充分に除去されたかどうかを映像から目視で確認する必要もない。よって、アンテナ部１０の指向性を容易かつ確実に妨害成分の影響を受けにくい指向性に変更することができる。
【０１１４】
さらに、妨害成分除去装置６０によって、テレビ放送信号（Ｉ信号）に含まれる妨害成分（オフセットビート成分）に相当する信号成分をテレビ放送信号から除去することができる。そのため、アンテナ部１０の指向性が妨害成分の影響を受けにくい指向性に変更された状態において、チューナー部２１０により選局された放送信号に妨害成分が含まれて（残って）いたとしても、このような妨害成分を除去することができる。
【０１１５】
また、アンテナ制御装置５０の駆動回路２９０からアンテナ部１０へ出力（印加）される駆動信号の信号レベル（電圧値Ｖ０）に応じて、位相制御器１３０が各テレビ放送信号の位相関係を制御することによって、アンテナ部１０全体としての指向性を変更することができる。
【０１１６】
また、アンテナ部１０の位相制御器１３０が、妨害成分除去装置６０から入力した（印加された）制御信号の信号レベル（電圧値Ｖ０）に応じた位相差となるように、混合器１２０により混合されるテレビ放送信号それぞれの位相関係を制御することによって、アンテナ部１０全体としての指向性を変更することができる。
【０１１７】
また、妨害成分除去装置６０の第１信号処理部２４０によって、直交検波部２２０により生成されたＱ信号の信号レベル（電圧値Ｖｑ）を妨害成分の信号レベルとして検出することができる。
また、第１信号処理部２４０によって、直交検波部２２０により生成されたＱ信号に基づいて妨害成分に相当する信号成分を生成することができ（妨害成分生成部２４２による）、この信号成分をＱ信号と共に生成されたＩ信号から除去することによって（妨害成分除去部２４６による）、Ｉ信号（テレビ放送信号）からオフセットビート成分を除去することができる。これによって、テレビ放送信号に基づく映像の画質をより一層向上させることができる。
【０１１８】
［変形例］
以上、本発明の実施形態について説明したが、本発明は上記の具体的な実施形態に限定されず、このほかにも様々な形態で実施することができる。
例えば、上記第１，第２実施形態においては、放送受信システム１，２がテレビ放送信号を受信する構成を例示したが、本発明は、テレビ放送信号以外の放送信号を受信する構成に採用することもできる。
【０１１９】
また、上記第１，第２実施形態におけるアンテナ部１０は、制御信号の信号レベルに応じて２本のアンテナ素子１１０それぞれが受信したテレビ放送信号の位相関係を制御することができれば、両方のアンテナ素子１１０に位相制御器１３０を設けてもよい。
【０１２０】
また、上記第１実施形態における放送受信システム１を、図４に示す放送受信システム３のように、各種データを記録する記録部３２０を備え、図２の変更指令処理において以下に示すような処理を行うように構成するとよい。まず、図５に示すように、ｓ１２０の処理で指向性変更スイッチが押下されたら（ｓ１２０：ＹＥＳ）、記録部３２０を初期化（記録済データの削除）した後（ｓ１２２）、ｓ１３０の処理へ移行する。また、ｓ１４０，ｓ１７０，ｓ２７０の処理の後、駆動信号の信号レベル（電圧値Ｖ０）が変更された後の信号レベルをＱ信号の信号レベル（電圧値Ｖｑ）に対応づけた状態で記録部３２０に記録させる（ｓ１４２，ｓ１７２，ｓ２７２）。また、ｓ１６０の処理でＱ信号の信号レベルがしきい値より大きい（Ｖｔｈ＜Ｖｑ）場合（ｓ１６０：ＹＥＳ）、駆動信号の電圧値Ｖ０がＶｍａｘ以上（Ｖｍａｘ≦Ｖ０）かどうかをチェックして（ｓ１６２）、Ｖｍａｘより小さければ（ｓ１６２：ＮＯ）、ｓ１７０の処理へ移行する。一方、Ｖｍａｘ以上であれば（ｓ１６２：ＹＥＳ）、記録部３２０の記録されている駆動信号の信号レベル（電圧値Ｖ０）のうち、信号レベル（Ｖ０）に対応するＱ信号の信号レベル（電圧値Ｖｑ）が最も小さい信号レベル（Ｖ０）を駆動信号の信号レベルとして決定した後（ｓ１６４）、この信号レベル（Ｖ０）を駆動信号の信号レベルに変更させる（ｓ１６６）。ここでは、ｓ１６４の処理で決定した信号レベル（Ｖ０）の駆動信号を発生させるためのレベルデータを生成して駆動回路２９０へ出力し、このレベルデータを入力した駆動回路２９０がアンテナ部１０へ電圧値Ｖ０の駆動信号を出力する。これによって、アンテナ部１０は、位相制御器１３０により各テレビ放送信号の位相関係を駆動信号の電圧値Ｖ０に相当する位相差となるように変更し、この位相差に対応する指向性とする。
同様に、ｓ２６０の処理でＱ信号の信号レベルがしきい値より大きい（Ｖｔｈ＜Ｖｑ）場合（ｓ２６０：ＹＥＳ）、駆動信号の電圧値Ｖ０がＶｍａｘ以上かどうかをチェックして（ｓ２６２）、Ｖｍａｘより小さければ（ｓ２６２：ＮＯ）、ｓ２７０の処理へ移行する。一方、Ｖｍａｘ以上であれば（ｓ２６２：ＹＥＳ）、記録部３２０の記録されている駆動信号の信号レベル（電圧値Ｖ０）のうち、信号レベル（Ｖ０）に対応するＱ信号の信号レベル（電圧値Ｖｑ）が最も小さい信号レベル（Ｖ０）を駆動信号の信号レベルとして決定した後（ｓ２６４）、この信号レベル（Ｖ０）を駆動信号の信号レベルに変更させる（ｓ２６６）。
【０１２１】
このように構成すれば、Ｑ信号の信号レベルを所定のしきい値（電圧値Ｖｔｈ）以下とすることができない場合であっても、少なくともＱ信号の信号レベルが最も低くなるようにアンテナ部１０の指向性を変更させることができる。
また、上記第１，第２実施形態においては、アンテナ部１０の位相制御器１３０を駆動する駆動回路２９０が、妨害成分除去装置２０に備えられているものを例示した。しかし、図６に示す放送受信システム４のように、位相制御器１３０を駆動する駆動回路１５０をアンテナ部１０に備え、妨害成分除去装置２０またはアンテナ制御装置５０が、フィルタ３１０を介してアンテナ部１０へ直接レベルデータを出力するように構成してもよい。このように構成すれば、アンテナ部１０の駆動回路１５０が、妨害成分除去装置２０またはアンテナ制御装置５０から入力したレベルデータで示される電圧値Ｖ０の駆動信号を位相制御器１３０に入力（印加）することによって、アンテナ部１０の指向性を変更することができる。
【０１２２】
また、上記第１，第２実施形態においては、アンテナ部１０が、２本のアンテナ素子１１０、混合器１２０および位相制御器１３０により構成されたものを例示した。しかし、アンテナ部１０を、位相制御器１３０の替わりに、妨害成分除去装置２０から入力される駆動信号の信号レベルに応じて、混合器１２０により混合されるされるテレビ放送信号のうち一部または全部のテレビ放送信号に対して重み付けをおこなうことによってアンテナ部１０全体としての指向性を変更する重み付け部を備えた構成（いわゆるアダプディブアレーアンテナ）としてもよい。このように構成すれば、アンテナ部１０の重み付け部が、駆動信号の信号レベルに応じた重み付けを行うことによって、アンテナ部１０の指向性を変更することができる。
【０１２３】
また、上記第１実施形態においては、図２におけるｓ１２０の処理で、操作部３００の指向性変更スイッチが押下されたタイミングで、ｓ１３０以降の処理でアンテナ部１０へ指向性の変更を指令するように構成されたものを例示した。しかし、第２信号処理部２８０がアンテナ部１０への指向性の変更を指令するタイミングは特に限定されない。例えば、放送受信システム１を起動（電源ＯＮ）したタイミングで指令する（つまり、図２の変更指令処理がｓ１２０の処理から開始されるようにする）ように構成してもよい。
【０１２４】
また、本第１，第２実施形態においては、テレビ放送信号に含まれるオフセットビート成分を妨害成分として、この妨害成分の信号レベルに基づいてアンテナ部１０の指向性を変化させると共に、テレビ放送信号から妨害成分を除去するように構成されたものを例示した。しかし、テレビ放送信号に含まれるゴースト成分を妨害成分として、この妨害成分の信号レベルに基づいてアンテナ部１０の指向性を変化させると共に、テレビ放送信号から妨害成分を除去するように構成してもよい。具体的には、放送受信システム１（または、放送受信システム２）を、図７（または図８）に示す放送受信システム５（または放送受信システム６）のように、第１信号処理部２４０の替わりに、ゴースト除去部４１２および利得設定部４１４からなる集積回路である第３信号処理部４１０を設け、直交検波部２２０および積分回路２７０の替わりに（または、直交検波部２２０の替わりに）ゴースト成分の信号レベルを検出するゴーストレベル検出部４２０を設ければよい。この構成におけるゴースト除去部４１２は、設定されたタップ利得に基づきチューナー部２１０により受信された放送信号から、この放送信号に含まれるゴースト成分を除去するトランスバーサルフィルタで構成されるものである。また、利得設定部４１４は、ゴースト除去部４１２の入力信号または出力信号から、この信号に含まれるゴースト検出用の基準信号（ＧＣＲ：Ｇｈｏｓｔ  Ｃａｎｃｅｌ  Ｒｅｆｅｒｅｎｃｅ）を抽出し、この基準信号に基づいてゴースト除去部４１２に対して設定すべきタップ利得を決定すると共に、このタップ利得をゴースト除去部４１２のタップ利得として設定するものである。また、ゴーストレベル検出部４２０は、例えば、テレビ放送信号を構成する映像信号における垂直帰線期間内の水平同期パルスの間に挿入されているカラーバースト信号、または、垂直帰線期間内の垂直同期信号の始まり部分の波形歪または水平同期信号の尖頭部分の波形歪に基づいて、ゴースト成分の信号レベルを検出するものである。
【０１２５】
このように構成すれば、ゴーストレベル検出部４２０によって、テレビ放送信号に含まれるゴースト成分の信号レベルを妨害成分の信号レベルとして検出することができる。さらに、第３信号処理部４１０によって、利得設定部４１４に設定されたタップ利得に基づいてゴースト除去部４１２によりゴースト成分を除去することができる。
【０１２６】
また、上記実施形態においては、各信号の信号レベルとして、信号の電圧値を採用したものを例示したが、信号レベルとしては、電圧値以外に、例えば、電流値などを採用してもよい。
また、上記第２実施形態においては、メータ部４０の表示パネル４４によって、妨害成分の信号レベルを報知するように構成されたものを例示した。しかし、妨害成分の信号レベルを報知するための構成としては、表示パネル４４以外に、例えば、検波器４２により検波されたＱ信号の信号レベルが特定の信号レベルとなったときに点灯するランプ、検波器４２により検波されたＱ信号の信号レベルが特定の信号レベルとなったときに所定の音声（警告音）を出力するスピーカ（およびスピーカ駆動回路）などを採用することもできる。
【０１２７】
［本発明との対応関係］
なお、以上説明した実施形態の放送受信システム１において、妨害成分除去装置２０の直交検波部２２０は本発明における直交検波手段、直交検波部２２０および第１信号処理部２４０は本発明における妨害成分除去部、直交検波部２２０および第２信号処理部２８０は本発明における妨害成分検出部および変更指令部、駆動回路２９０は本発明における変更指令部である。
【０１２８】
また、第１信号処理部２４０の妨害成分生成部２４２は本発明における妨害成分生成手段、妨害成分除去部２４６は本発明における減算手段である。
また、妨害成分除去装置２０からアンテナ部１０へ入力される駆動信号は、本発明における指令信号である。
【０１２９】
また、放送受信システム２において、メータ部４０の表示パネル４４は本発明における妨害成分報知部、アンテナ制御装置５０の操作部５２および駆動回路２９０は本発明における変更操作部である。
また、放送受信システム５において、第３信号処理部４１０は本発明における妨害成分除去部、ゴースト除去部４１２は本発明におけるゴースト除去手段、利得設定部４１４は本発明における利得設定手段である。
【図面の簡単な説明】
【図１】第１実施形態における放送受信システムの制御系統を示すブロック図
【図２】変更指令処理の処理手順を示すフローチャート
【図３】第２実施形態における放送受信システムの制御系統を示すブロック図
【図４】別の実施形態における放送受信システムの制御系統を示すブロック図
【図５】別の実施形態における変更指令処理の処理手順を示すフローチャート
【図６】別の実施形態における放送受信システムの制御系統を示すブロック図
【図７】別の実施形態における放送受信システムの制御系統を示すブロック図
【図８】別の実施形態における放送受信システムの制御系統を示すブロック図
【符号の説明】
１，２，３，４，５・・・放送受信システム、１０・・・アンテナ部、２０・・・妨害成分除去装置、３０・・・伝送ケーブル、４０・・・メータ部、４２・・・検波器、４４・・・表示パネル、５０・・・アンテナ制御装置、５２・・・操作部、６０・・・妨害成分除去装置、１１０・・・アンテナ素子、１２０・・・混合器、１３０・・・位相制御器、１４０・・・フィルタ、１５０・・・駆動回路、２１０・・・チューナー部、２２０・・・直交検波部、２３０，２３２，２３４・・・アナログ−デジタル変換部、２３６，２３８・・・デジタル−アナログ変換部、２４０・・・第１信号処理部、２４２・・・妨害成分生成部、２４４・・・Ｉ信号遅延調整部、２４６・・・妨害成分除去部、２５０・・・ＲＦ変調部、２６０・・・音声遅延調整部、２７０・・・積分回路、２８０・・・第２信号処理部、２９０・・・駆動回路、３００・・・操作部、３１０・・・フィルタ、３２０・・・記録部、４１０・・・第３信号処理部、４１２・・・ゴースト除去部、４１４・・・利得設定部、４２０・・・ゴーストレベル検出部。
【図１】
2004173008.tif 000003
【図２】
2004173008.tif 000004
【図３】
2004173008.tif 000005
【図４】
2004173008.tif 000006
【図５】
2004173008.tif 000007
【図６】
2004173008.tif 000008
【図７】
2004173008.tif 000009
【図８】
2004173008.tif 000010